(57)【要約】  【課題】  エラーのない切替が可能か否かを判断し、且つエラーが発生する状態での切替操作防止を小規模で実現可能なデジタル無線伝送装置を提供する。  【解決手段】  伝送データに非伝送データを周期的に挿入して組み合わせデータとし、この組み合わせデータを、二重になっている一方と他方の伝送系を切換えて伝送する際、前記一方と他方の伝送系の切替えが、非伝送データの伝送期間内に限定して行われるように、双方の非伝送データの伝送期間を一致させて伝送するデジタル無線伝送装置において、双方の伝送系との間でやり取りしている非伝送データ挿入同期信号の位相が一致しているか否かを検知して表示するか、またはデジタル処理の最終段のデジタルデータを用い、そのデータのパリティを求め、その１ビットを双方の伝送系でやり取りし比較することで位相が一致しているか否かを検知して表示することを特徴とする。【選択図】図１
2007088669.tif 000002
【特許請求の範囲】
【請求項１】
伝送データに非伝送データを周期的に挿入して組み合わせデータとし、この組み合わせデータを、二重になっている一方と他方の伝送系を切換えて伝送する際、前記一方と他方の伝送系の切替えが、前記非伝送データの伝送期間内に限定して行われるように、双方の非伝送データの伝送期間を一致させて伝送するデジタル無線伝送装置において、
双方の伝送系との間でやり取りしている非伝送データ挿入同期信号の位相が一致しているか否かを検知して表示するか、またはデジタル処理の最終段のデジタルデータを用い、そのデータのパリティを求め、その１ビットを双方の伝送系でやり取りし比較することで位相が一致しているか否かを検知して表示することを特徴とするデジタル無線伝送装置。
【発明の詳細な説明】
【技術分野】
【０００１】
本発明は、伝送系を二重に備えたデジタル無線伝送装置に係り、特に２系統の伝送系を切替えて運用するデジタル無線伝送装置に関するものである。
【背景技術】
【０００２】
近年、地上波放送のデジタル化に伴い、デジタル無線伝送装置が用いられるようになっているが、特に、放送業務用などの高い信頼性が要求されるシステムでは、実運用時での故障耐性や保守作業時での運用性確保の見地から、信号伝送系を二重にし、冗長性が与えられるように構成される場合が多い。
【０００３】
このようなシステムで用いられるデジタル無線伝装装置では、放送信号などの伝送データの他に、無線伝送路の特性変動に対応するために使用される波形等化用基準信号などの非伝送データが一定周期で挿入されて伝送される。
【０００４】
ここで、前記システムの送信側において二重化された伝送系を切換える際に、前記非伝送データの伝送期間に切替えを行うことで、切換えに伴うデータ欠落が生じないようにする方式が考えられ、その具体的な方法の一例としては、特許文献１、特許文献２に記載の発明がある。
【０００５】
【特許文献１】特開２００２−３５９５７８号公報
【特許文献２】特開２００３−１１０４６７号公報
【発明の開示】
【発明が解決しようとする課題】
【０００６】
この非伝送データでの切替えに関して、双方の非伝送データおよび伝送データが内容、位相共に一致させる必要がある。前記の発明では、双方の伝送系との間で非伝送データ挿入同期信号をやり取りすることで、予備側のデータの位相を現用側に一致するよう制御させている。
【０００７】
ここで、上記非伝送データ挿入同期信号を送受するためのケーブルが外れたり、万が一の回路素子の一部故障などにより、双方のデータが不一致となる可能性がある。その場合、非伝送データ期間内で切替を行ったとしても、切替前後でデータが不連続となり、受信側のデータにエラーが発生してしまう。
【０００８】
本発明の目的は、エラーのない切替が可能か否かを判断し、且つエラーが発生する状態での切替操作防止を小規模で実現可能なデジタル無線伝送装置を提供することにある。
【課題を解決するための手段】
【０００９】
本発明は、伝送データに非伝送データを周期的に挿入して組み合わせデータとし、この組み合わせデータを、二重になっている一方と他方の伝送系を切換えて伝送する際、前記一方と他方の伝送系の切替えが、前記非伝送データの伝送期間内に限定して行われるように、双方の非伝送データの伝送期間を一致させて伝送するデジタル無線伝送装置において、双方の伝送系との間でやり取りしている非伝送データ挿入同期信号の位相が一致しているか否かを検知して表示するか、またはデジタル処理の最終段のデジタルデータを用い、そのデータのパリティを求め、その１ビットを双方の伝送系でやり取りし比較することで位相が一致しているか否かを検知して表示することを特徴とする。
【発明の効果】
【００１０】
本発明によれば、エラーのない切替が可能か否かを判断し、且つエラーが発生する状態での切替操作防止を小規模で実現可能なデジタル無線伝送装置を得ることができる。
【発明を実施するための最良の形態】
【００１１】
本発明に係る実施の形態について、図１、図２を用いて説明する。
【００１２】
図２は、本発明に係るデジタル無線伝送装置の全体構成を示すブロック図である。同一の信号に対して、入力からアンテナの手前までを１号系送信装置１と２号系送信装置２の二重系とし、アンテナを共通とした構成である。
【００１３】
１号系デジタル変調部５、２号系デジタル変調部６は、互いに非伝送データ挿入同期信号を受け渡し、また、運行室監視板９にも供給される。
【００１４】
運行室監視板９は、デジタル変調部にどちらの系統が使用されているかを示すための、１号系選択信号、２号系選択信号を供給する。
【００１５】
また、運行室監視板９は、入力した上記非伝送データ挿入同期信号を切替えタイミング信号として、系統切替え制御と共に無中室監視板１０へ伝送する。
【００１６】
無中室監視板１０は切替えタイミング信号と系統切替え制御信号により、ＲＦ出力切替器３への切替え信号を供給する。
【００１７】
以上のような構成により、２系統の送信装置１，２における非伝送データの送信期間が一致させ、非伝送データ期間でＲＦ出力の切替えを可能としている。
【００１８】
ここで、上記の切替実現上の必須条件として、切替前後のデータの連続性を保つ必要があり、１号系デジタル変調部５と２号系デジタル変調部６の、非伝送データおよび伝送データが内容、位相共に一致していることが必要である。
【００１９】
しかし、上記非伝送データ挿入同期信号を送受するためのケーブルが外れたり、万が一の回路素子の一部故障などにより、双方のデータが不一致となる可能性がある。その場合、非伝送データ期間内で切替を行ったとしても、切替前後でデータが不連続となり、受信側のデータにエラーが発生してしまう。
【００２０】
よって、上記の切替操作を行う際、双方のデータが一致している事を確認する手段が必要である。
【００２１】
そこで本発明は、１号系デジタル変調部５と２号系デジタル変調部６とが既にやり取りしている非伝送データ挿入同期信号を双方で比較して、一致していなければ１号系、および、２号系データ不一致アラームを運行室監視板９へ出力し、各アラームの論理和（ＯＲ）をとったデータ不一致トータルアラームを無中室監視板１０、または、運行室リモコン等へ出力するものである。
【００２２】
これにより、手動による切替操作をする無中室においては、無中室監視板１０から上記アラームによって切替操作注意表示することで、エラーの発生しない切替が可能な状態か否かを作業者が確認可能となる。また、系統切替制御信号による遠制切替を行う運行室リモコンにも上記アラームを供給することによって、同様の注意を喚起することができる。
【００２３】
上記の非伝送データ挿入同期信号位相の比較を、データの一致をできるだけ簡単な構成にて検出する実施の形態であるが、ここで、より万全を期し厳密にデータの一致を検出する方法として、デジタル変調部最終段のデジタルデータを比較することが考えられる。しかし、デジタルデータ全てのビットをやり取りし比較することは、そのデータ幅によっては膨大な敷線を要してしまうことになる。
【００２４】
そこで、本実施の形態では、最終段のデジタルデータの偶数または奇数パリティを求め、そのデータパリティ１ビットを双方のデジタル変調部でやり取りする。これにより、データ一致検知精度の低下を最小限に留めつつ、上記の非伝送データ挿入同期信号位相を比較する方法から信号線２本の敷線追加という小規模の回路で実現可能となる。
【００２５】
図１は、図２のデジタル無線伝送装置の全体構成を示すブロック図における運行室側の各ブロックの詳細を示し、データパリティを用いたデータ一致検知を実現する具体回路を示す図である。
【００２６】
図１において、１号系デジタル変調部５および２号系デジタル変調部６は、データ処理部１１および１２、Ｄ／Ａコンバータ１３および１４、アップコンバータ部１５および１６、ＸＯＲ回路１７，１９および１８，２０の構成を有する。
【００２７】
このデジタル変調部５および６での最終段のデジタルデータは、Ｄ／Ａコンバータ１３および１４に入力されるデータであり、ここではＤ／Ａ入力データは１２ビットである。このデータを、１２ビット入力１ビット出力のＸＯＲ回路１７および１８によって排他的論理和として偶数パリティを求め、１号系および２号系データパリティとしてＸＯＲ回路１９および２０へ供給する。
【００２８】
ＸＯＲ回路１９および２０では、双方のデータパリティの各１ビットすなわち２ビット入力とし１ビット出力の排他的論理和回路であり、１号系および２号系データ不一致アラームとして、双方のデータパリティが一致している場合は０を出力し、不一致の場合は１を出力する。
【００２９】
１号系および２号系データ不一致アラームは、運行室監視板９に供給される。
【００３０】
運行室監視板９では、双方のデータパリティの各１ビットすなわち２ビット入力とし１ビット出力のＸＯＲ回路２１に入力する。ＸＯＲ回路２１はデータ不一致トータルアラームとして、双方のデータパリティが一致している場合は０を出力し、不一致の場合は１を出力する。
【００３１】
ＸＯＲ回路を用いることで、双方のデータ一致・不一致の検出を、非常に小さな回路規模で実現する事が可能である。
【００３２】
本実施の形態によれば、エラーのない切替が可能か否かを判断し、且つエラーが発生する状態での切替操作防止を実現可能なデジタル無線伝送装置を得ることができる。また本実施の形態によれば、ＸＯＲ回路を用いることで、非常に小さな回路規模で実現可能なデジタル無線伝送装置を得ることができる。
【図面の簡単な説明】
【００３３】
【図１】図２のデジタル無線伝送装置の全体構成を示すブロック図における運行室側の各ブロックの詳細を示し、データパリティを用いたデータ一致検知を実現する具体回路を示す図である。
【図２】本発明に係るデジタル無線伝送装置の全体構成を示すブロック図である。
【符号の説明】
【００３４】
１：１号系送信装置、２：２号系送信装置、３：ＲＦ出力切換器、４：送信アンテナ装置、５：１号系デジタル変調部、６：２号系デジタル変調部、７：１号系送信周波数変換部、８：２号系送信周波数変換部、９：運行室監視板、１０：無中室監視板、１１，１２：データ処理部、１３，１４：Ｄ／Ａコンバータ、１５，１６：アップコンバータ部、１７，１８，１９，２０，２１：ＸＯＲ回路。
【図１】
2007088669.tif 000003
【図２】
2007088669.tif 000004